(57)【特許請求の範囲】
【請求項１】
帯状部材を顔面に展着する手段であり、顔面の正面より見て、両眼のほぼ下辺及び外側に存在する上頬部と、下顎部及び、又は顎裏面との両部位間を、前記下顎部及び、又は顎裏面より左右の前記上頬部に至り、左右方向に迂回する事無く、口唇部を乗り越え係止することにより、前記両部位間をほぼ一定の距離に保持し、睡眠時等における、下顎部及び下顎骨部の降下による不随意な開口を規制し、あるいは前記下顎部の左右の動きを規制することにより、下顎部の不随意なずれを抑え、口呼吸又は口呼吸に起因する、無呼吸睡眠症例、いびき、口渇等の睡眠障害を防止する口呼吸防止帯であり、短辺端ほぼ中央より縦方向にスリットを設け、装着時にスリットにより前記帯状部材の一部が左右に開き、それぞれ両上頬部に係止可能な帯状部材から成る、口呼吸防止帯において、当該部材の短辺下端中央近辺から縦方向に、上方に切れ上がる切欠き部を設け、さらに当該切欠き部の切終点と前記スリットの切終点との間に、一定の距離を保つ部位から成る非切部、を設けることにより、少なくとも非切部を前記下顎部に係止可能に成し、下顎部中央近辺が前記帯状部材の係止に不適当な状態にある場合、あるいは係止に伴い異常を生ずる場合、当該切欠き部によって左右に分岐形成した前記下顎部及び、又は顎裏面に展着係止する分岐形下係止部が、前記下顎部中央近辺を避け、前記下顎部の左右に展着係止することにより、前記非切部と連携して前記不適当な状態にある個所を避け、係止に伴う異常を生ずる事無く下顎部の降下を規制及び保持可能とする、改良口呼吸防止帯。
【請求項２】
前記切欠き部を切込み線状を成す切線又は細巾の、切込み線部として切り上げ、或いは前記短辺下端に短寸の非切個所を残し、これを超えて前記切込み線部として切り上げることにより、前記分岐形下係止部を左右に開いてすると前記下顎部の左右に展着し、前記非切部と連携して下顎部の規制を保持可能とするとともに、当該切込み線部を閉じた状態にすると従来の口呼吸防止帯と同様な下顎部規制効果を発揮する分岐形下係止部構造とした、請求項１に記載の改良口呼吸防止帯。
【請求項３】
前記口呼吸防止帯の、前記左右の上頬部に展着係止する上係止部と、前記下顎部及び、又は顎裏面に展着係止する下係止部をつなぎ、両部間の距離又は引張力を維持する、つなぎ部において、つなぎ部を形成する帯状部分の、引張力が最も強く働く左右それぞれの内側部分を残し、当該帯状部分のそれぞれ外側を、前記引張力が低下しにくい幅に到るまで欠き取ることにより、前記口呼吸防止帯を顔面に装着した時のうっとうしさ等の違和感を減少させるとともに、口呼吸防止帯の防止機能を維持する、請求項１に記載の改良口呼吸防止帯。
【請求項４】
前記口呼吸防止帯の、前記左右の上頬部に展着係止する上係止部と、前記下顎部及び、又は顎裏面に展着係止する下係止部をつなぎ、両部間の距離又は引張力を維持する、つなぎ部において、つなぎ部を形成する帯状部分の、引張力が最も強く働く左右それぞれの内側部分を残し、当該帯状部分のそれぞれ外側を、前記引張力が低下しにくい幅に到るまで欠き取ることにより、前記口呼吸防止帯を顔面に装着した時のうっとうしさ等の違和感を減少させ、口呼吸防止帯の防止機能を維持する、請求項１又は２の改良口呼吸防止帯。
【発明の詳細な説明】
【技術分野】
【０００１】  本発明は、下顎部の不随意な開口を規制する口呼吸防止帯の着用上の問題解決に関する。
【背景技術】
【０００２】  従来の口呼吸防止具には、顔面に展着して着用し、睡眠時等における下顎部の不随意な降下又は左右のずれを規制し、口呼吸および口呼吸に起因する睡眠障害を防止する口呼吸防止帯がある。（例えば、特許文献１参照。）【０００３】  以下、図１、図２、図１３によって従来の口呼吸防止帯について説明する。図１は帯状部材２が展着する先である顔面１中の係止部位となる上頬部１１、下顎部１２、係止関係部となる鼻下部１３、頬部１４の位置を示している。図２は帯状部材２により下顎部１２と鼻下部１３の間にシワ１２ａが生じている異常な状態を示している。図１３において、２は口呼吸防止帯を構成する帯状部材で、スリット１５、上係止部１６、下係止部１７、１６と１７とを結び一定の距離に保持するつなぎ部２０を具え、さらに２０にはつなぎ部の内側２０ａ、つなぎ部の外側２０ｂが存在している。【０００４】  帯状部材２は前記展着面に粘着材層を有し、顔面１に対してスリット１５を左右に開きながら、上係止部１６を左右に位置する上頬部１１にそれぞれ展着し、次に下係止部１７を、つなぎ部２０を引張させつつ口を閉じた状態の下顎部１２に係止する。
このことにより、下顎部１２は口呼吸防止帯である帯状部材２によって不随意な降下又は左右のずれが規制されることになる。
【先行技術文献】
【特許文献】
【０００５】
【特許文献１】  特許番号  第４４６５５１９号
【発明の概要】
【発明が解決しようとする課題】
【０００６】  以上に述べた従来の口呼吸防止帯では、下顎部１２は下顎部の中央近辺も含め下係止部１７によってほぼ全面に渡り強力に係止保持される一方、下顎部の中央近辺にヒゲ、傷瘍等を有する場合はこれ等を避け得ず、口呼吸防止帯が使用できない恐れがあった。
又、下顎部にひげを生やす男性は多いが、その中でも中央近辺に長めのひげ部分を持つ傾向が顕著であり、この部位に下係止部１７を係止してしまうと下係止部全体が持ち上げられ、展着しても係止に耐えられない欠点があった。【０００７】  又、図２に示すように、下顎部１２が前方に出張っている人等の場合、下係止部１７が鼻下部１３に密着しないことがあると、下顎部１２の皮膚及び筋肉が下係止部１７によってたくし上げられ途中に寄りが生じる状態となり、鼻下部１３等にシワ１２ａができ、口呼吸防止帯の連用によって顔面１にシワ１２ａが常在してしまう恐れがあった。【０００８】  さらに、つなぎ部２０にはつなぎ部の内側２０ａに加え、つなぎ部の外側２０ｂも具えている為、前記一定の距離に保持する能力は高いが、図１の頬部１４にも広く展着してしまうので展着時のうっとうしさが避けられず、睡眠時、無意識に外してしまう等の不都合が起きる状態があった。【０００９】  又、下顎部１２と上頬部１１を口唇部を乗り越え係止する際、それぞれをつなぐ係止距離が短い方がより係止保持力が強くなる結果、つなぎ部の外側２０ｂとつなぎ部の内側２０ａとでは係止保持力に差が生じ、例えば下顎部に強い係止保持力の交点である一つの安定点を置くとすると、つなぎ部の外側２０ｂはつなぎ部の内側２０ａよりこの安定点からの係止距離が長くなる為に係止保持力が弱くなる構造となっている。【００１０】  本発明は、このような従来の構成が有していた問題を解決しようとするものであり、口呼吸防止帯である帯状部材の着用時に下顎部の中央近辺を避け得ての係止を実現することにより、下顎部が出張っている場合等でもシワが生ずる事無く鼻下部に密着可能とし、さらに展着する際に起きるうっとうしさを軽減することを目的とするものである。
【課題を解決するための手段】
【００１１】  そして、本発明は上記目的を達成する為に帯状部材の短辺下端中央近辺から縦方向に、上方に切れ上がる切欠き部を設け、さらに当該切欠き部の切終点と前記スリットの切終点との間に、一定の距離を保つ部位から成る非切部、を設けることにより、非切部を前記下顎部に係止可能にするとともに、下顎部中央近辺が前記帯状部材の係止に不適当な状態にあるか、係止すると異常を生ずる場合でも、当該切込み部によって左右に分岐形成した分岐形下係止部が前記下顎部中央近辺を避け、前記下顎部の左右に展着係止することにより、前記非切部と連携して下顎部の降下を規制及び保持できる。【００１２】  又、第２の解決手段は、前記左右に分岐形成した分岐形下係止部を成す切欠き部を切込み線状に切り上げた切線又は細巾の切込み線部にして、前記分岐形下係止部を左右に開くと前記下顎部の左右に展着することができ、前記非切部と連携して下顎部中央近辺を囲み吊る状態で下顎部の規制を保持可能とするとともに、当該切込み線部を閉じた状態にすると従来の口呼吸防止帯と同様に下顎部中央近辺を含み展着して、下顎部規制効果を発揮する分岐形下係止部構造となる。【００１３】  さらに、第３の解決手段は、従来の帯状部材のつなぎ部２０において比較的弱い係止保持力を有するつなぎ部の外側２０を含め前記引張力が低下しにくい巾に到るまで係止保持力の強いつなぎ部の内側２０ａに近づき、つなぎ部を欠き取ることにより、頬部１４へのつなぎ部の展着面積を少なくして、うっとうしさの軽減を実現できる。【００１４】  第４の解決手段は、第３の解決手段に第１又は第２の解決手段を合わせて構成することにより、それぞれの解決手段の効果を一枚の帯状部材に現して、口呼吸防止帯の効果を維持しながら、着用上の欠点を改善し、さらに快適さを実現する改良口呼吸防止帯とする。
【発明の効果】
【００１５】  上述したように、本発明の改良口呼吸防止帯は、着用の際、下顎部中央近辺に存在するヒゲ、傷瘍等を避け係止でき、あるいは必要に応じて従来の口呼吸防止帯と同様な下顎部位への係止ができる。【００１６】  又、つなぎ部の外側を欠き取ることにより、係止保持力を損なう事無く着用時のうっとうしさを軽減でき、より着用対応能力を高めるとともに、着用抵抗感の少ない口呼吸防止帯を提供できる。
【図面の簡単な説明】
【００１７】
【図１】本発明の実施形態の展着先となる顔面の係止部位を示す図
【図２】従来の実施形態を示す口呼吸防止帯の着用時側面図
【図３】本発明の実施形態を示す改良口呼吸防止帯の着用時側面図
【図４】同改良口呼吸防止帯の着用時正面図
【図５】同改良口呼吸防止帯の着用図
【図６】同改良口呼吸防止帯の正面図
【図７】同改良口呼吸防止帯の正面図
【図８】同改良口呼吸防止帯の正面図
【図９】従来の口呼吸防止帯又は本発明の実施形態を示す改良口呼吸防止帯着用図
【図１０】本発明の実施形態を示す改良口呼吸防止帯の着用図
【図１１】口呼吸を防止しにくいつなぎ部を有する実施例図
【図１２】口呼吸を防止しにくいつなぎ部を有する実施例図
【図１３】従来の実施形態を示す口呼吸防止帯の正面図
【発明を実施する為の形態】
【００１８】  以下、本発明の実施の形態を図１、図３〜図１２に基づいて説明する。
【００１９】  図において、１は本発明の実施形態の展着先となる顔面の各部位を示し、１１は比較的伸縮が少なく本発明の改良口呼吸防止帯の係止に好適な上頬部、１２は下顎部、１３は係止に適しにくい鼻下部、１４は係止に適さない頬部、となる。
【００２０】  ３は本発明の実施形態の改良口呼吸防止帯であり、分岐下係止部１７ａが切り上げられた切欠き部１８、あるいは切り欠き線部１８ａによって左右に別れて存在している。さらに切欠き部１８、あるいは切り欠き線部１８ａとスリット１５の間に非切部１９を設けることによって分岐下係止部１７ａと連携し、下顎部１２の中央近辺に存在するヒゲ２０ｂ、傷瘍等を避け得て下顎部を係止保持することができる。
【００２１】  又、つなぎ部２０を出来る限り細く形成する為、係止保持力の強いつなぎ部の内側２０ａ近辺を残し、つなぎ部の外側２０ｂを含み欠き取り、切欠き部２０ｃの形状にして実施することにより、降下規制力の流れ２２は下顎部１２内で降下規制力点２３として結び合い下顎部内に安定点として留まるため、つなぎ部２０が持つ引張力を殆ど形成前と変わらず維持しながら、口２１も閉じられ、頬部１４への展着を最小限に留め着用時のうっとうしさを軽減することができる。
【００２２】  さらに、例えばうっとうしさを軽減する為につなぎ部２０において、つなぎ部の外側２０ｂ近辺を残し、つなぎ部の内側２０ａを含み欠き取り、切欠き部２０ｄの形状にして実施すると、着用時、降下規制力の流れ２２が係止保持力の弱いつなぎ部の外側２０ｂを通るため、降下規制力点２３は下顎部１２外に移動してしまい、下顎部内に安定点として留まれず、さらにつなぎ部の外側２０ｂでは口２１の端側を通ってしまい、口は開口し易くなるので、この構造では口呼吸を防止することができない。
【００２３】  以下、上記構成の作用を説明する。左右に分岐された分岐形下係止部１７ａは下顎部中央近辺に存在するヒゲ１２ｂ等係止に不適当な個所が有っても、切欠き部１８によってこれ等を避け下顎部左右の展着可能な部位に係止することができる（図４、５、６参照）。
【００２４】  又、下顎部１２が出張っている場合等でもシワ１２ａが生ずる事無く鼻下部及び下顎部の左右に密着することができ、係止に伴い生ずる異常を避けることができる（図３参照）。
【００２５】  さらに切欠き部１８を設けることにより、非切部１９は下顎部１２が前方に出張っていても下顎部中央近辺の影響を受けず鼻下部１３に密着係止することができるので、非切部から左右に伸びる分岐下系止部１７ａの下顎部１２への係止と連携して下顎部の中央近辺を避けつつ取り囲み、抱え上げる状態で下顎部の降下を規制し、口呼吸を防止することができる。
【００２６】  又、前記切欠き部１８を切込み線状にした切線又は細巾の切込み線部１８ａにすると、着用時、分岐状下係止部１７ａはそのまま閉じた状態では下係止部１７と類似する位置に留まっているが、それぞれ左右に開けば下顎部１２の左右に展着係止でき、前記閉じた状態にして下係止部１７と同様のしっかりした係止もできるので、各個人の都合に合わせた着用方法が選択可能となる。この構成による効果は、非切個所１８ｂを設け、非切個所を引っ張ることにより、前記分岐状下係止部１７ａを閉じ易く成しても変わらない（図７、８、９参照）。
【００２７】  さらなる構成では、つなぎ部２０のうち、つなぎ部の内側２０ａ近辺を残し他の部位を欠き取り、外側欠き取り部２０ｃの如く形成すると、降下規制力の流れ２２はそれぞれ下顎部１２内で降下規制力点２３に結合するので下顎部保持力は弱まらずに保て、しかも頬部１４への展着面積が少なくなり着用時うっとうしさを軽減することができる。しかし同様にうっとうしさを軽減する目的でつなぎ部の内側２０ａを欠き取り、つなぎ部の外側２０ｂ近辺を残し内側欠き取り部２０ｄの如く形成すると、降下規制力の流れ２２は残された外側を通り降下規制力点２３は下顎部１２より外に移動してしまう為、下顎部保持力は弱まってしまい、又、つなぎ部２０の位置も口２１の端の方に移るのでつなぎ部が口を閉じる作用も弱まり、開口してしまう（図１１、１２参照）。
【００２８】  又、前記切欠き部１８あるいは切込み線部１８ａと上記つなぎ部の内側２０ａ近辺のみ残した構造を同じ帯状部材２に構成することにより、最も着用に好適な改良口呼吸防止帯とする効果を発揮する（図４、５、１０参照）。
以上のように、本実施形態によれば従来の口呼吸防止帯の欠点を補い、着用性能を改善する効果が得られるものである。
【符号の説明】
【００２９】  １    顔面
２    帯状部材
３    本発明の改良口呼吸防止帯
１１    上頬部
１２    下顎部
１３    鼻下部
１４    頬部
１５    スリット
１６    上係止部
１７    下係止部
１７ａ  分岐下係止部
１７ｂ  ヒゲ
１８    切欠き部
１８ａ  切込み線部
１８ｂ  非切個所
１９    非切部
２０    つなぎ部
２０ａ  つなぎ部の内側
２０ｂ  つなぎ部の外側
２０ｃ  外側欠き取り部
２０ｄ  内側欠き取り部
２１    口
２２    降下規制力の流れ
２３    降下規制力点
【図１】
0005380696.tif 000002
【図２】
0005380696.tif 000003
【図３】
0005380696.tif 000004
【図４】
0005380696.tif 000005
【図５】
0005380696.tif 000006
【図６】
0005380696.tif 000007
【図７】
0005380696.tif 000008
【図８】
0005380696.tif 000009
【図９】
0005380696.tif 000010
【図１０】
0005380696.tif 000011
【図１１】
0005380696.tif 000012
【図１２】
0005380696.tif 000013
【図１３】
0005380696.tif 000014